(57)【要約】【課題】収納位置および使用位置の何れにある場合でも物品収納部に対する物品の出し入れを可能とする。【解決手段】アームレストＡＲは、シートバック１２に回動可能に枢支された本体３０と、本体３０に枢設されて第１開口部３４を開閉し、収納位置においてシートバック１２のシート表面と面一となる第１蓋体５０と、本体３０に枢設されて第２開口部３６を開閉し、使用位置において上方を指向して腕当部となる第２蓋体６０とを有する。収納位置にある場合は、第１蓋体５０の開放により物品収納部３２に対する物品の出し入れが許容され、使用位置にある場合は、第２蓋体６０の開放により物品収納部３２に対する物品の出し入れが許容される。なお物品収納部３２内には、本体３０の姿勢に関係なく常に水平状態に姿勢保持される物品収納体７０が配設されている。【選択図】図５
2006280747.tif 000002
【特許請求の範囲】
【請求項１】
シートのシートバック(12)に回動可能に枢設され、前記シートバック(12)に収納させた収納位置および該シートバック(12)から延出させた使用位置とに姿勢変位可能なアームレストにおいて、
前記シートバック(12)に回動可能に枢支され、物品収納部(32)が内部画成されると共に対向する第１開口部(34)および第２開口部(36)を開設した本体(30)と、
前記本体(30)に枢設されて前記第１開口部(34)を開閉し、前記収納位置において前記シートバック(12)のシート表面と面一となる第１蓋体(50)と、
前記本体(30)に枢設されて前記第２開口部(36)を開閉し、前記使用位置において上方を指向して腕当部となる第２蓋体(60)とを有し、
前記収納位置にある場合は、前記第１蓋体(50)の開放により前記物品収納部(32)に対する物品の出し入れを許容し、前記使用位置にある場合は、前記第２蓋体(60)の開放により物品収納部(32)に対する物品の出し入れを許容するよう構成した
ことを特徴とするアームレスト。
【請求項２】
シートのシートバック(12)に回動可能に枢設され、前記シートバック(12)に収納させた収納位置および該シートバック(12)から延出させた使用位置とに姿勢変位可能なアームレストにおいて、
前記シートバック(12)に回動可能に枢支され、物品収納部(32)が内部画成されると共に対向する第１開口部(34)および第２開口部(36)を開設した本体(30)と、
前記物品収納部(32)内において前記本体(30)に対し回動可能に配設され、該本体(30)の姿勢に関係なく常に水平状態に姿勢保持される物品収納体(70)と、
前記本体(30)に枢設されて前記第１開口部(34)を開閉し、前記収納位置において前記シートバック(12)のシート表面と面一となる第１蓋体(50)と、
前記本体(30)に枢設されて前記第２開口部(36)を開閉し、前記使用位置において上方を指向して腕当部となる第２蓋体(60)とを有し、
前記収納位置にある場合は、前記第１蓋体(50)の開放により前記物品収納体(70)に対する物品の出し入れを許容し、前記使用位置にある場合は、前記第２蓋体(60)の開放により物品収納体(70)に対する物品の出し入れを許容するよう構成した
ことを特徴とするアームレスト。
【請求項３】
前記物品収納体(70)は、前記物品収納部(32)内に収容された収容位置および前記第１開口部(34)から外方へ迫出した迫出位置の間でスライド移動が可能に配設されると共に、連繋機構(80)により前記第１蓋体(50)と連繋され、
前記第１蓋体(50)を本体(30)へ閉成した場合には前記物品収納体(70)が前記収容位置に移動し、該第１蓋体(50)を本体(30)から開放した場合には該物品収納体(70)が前記迫出位置へ移動する請求項２記載のアームレスト。
【請求項４】
前記連繋機構(80)は、歯車列(82)およびカム機構(84)を組み合わせて構成される請求項３記載のアームレスト。
【請求項５】
前記連繋機構(80)は、リンク機構(100)およびカム機構(84)を組み合わせて構成される請求項３記載のアームレスト。
【発明の詳細な説明】
【技術分野】
【０００１】
本発明は、アームレストに関し、更に詳細には、シートのシートバックに回動可能に枢設され、シートバックに収納させた収納位置およびシートバックから延出させた使用位置とに姿勢変位可能なアームレストに関するものである。
【背景技術】
【０００２】
例えば、セダンタイプやワゴンタイプ等の種々乗用車のリアシートは、図１０に例示するように、乗員室内の幅方向に延在する横長のベンチタイプとなっているものが多く、大人３人が横並びに着座することを許容し得るようになっている。このようなシートＳでは、車種やグレードに応じて異なるものの、１人または２人が使用する場合に身体を支えるためのアームレストＡＲ１が、シートバック１２の左右中央部分に回動可能に枢設されている。すなわちアームレストＡＲ１は、シートバック１２に設けた収納凹部１４に縦向きに収納させた収納位置(図１０に実線表示)と、シートバック１２から前方へ横向きに延出させてシートクッション１０の上面に倒伏した使用位置(図１０に２点鎖線表示)とに姿勢変位可能となっている。すなわち、３人乗車時や非使用時には、シートバック１２の収納凹部１４へ収納させてシートＳ(シートバック１２)の一部分として機能させ、使用時には使用位置へ延出させて使用するようになっている。
【０００３】
また、アームレストＡＲ１の本体２０には、身辺小間物の収納を許容する物品収納部２２が内部画成されており、図１１に例示するように、この本体２０に枢設された蓋体２６を開放することで、当該物品収納部２２に対する物品の出し入れが可能となっている。このようなアームレストに関しては、例えば特許文献１に開示されている。
【特許文献１】特開平９−２０１２５５号公報
【発明の開示】
【発明が解決しようとする課題】
【０００４】
ところで、図１０および図１１に例示した従来のアームレストＡＲ１は、本体２０の片面にだけ開口部２４が開設されて、この開口部２４を開閉するための蓋体２６が配設されており、使用位置にある場合にだけ蓋体２６の開閉が許容される構造となっていた。すなわち、図１０に実線表示した収納位置にある場合には、シートバック１２に露出した側に蓋体がないため、物品収納部２２に対する物品の出し入れが不可能である。従って、物品収納部２２に対する物品の出し入れを行なう場合は、一旦図１１の使用位置まで回動させた後に蓋体２６を開放しなければならず、面倒で煩わしい操作が伴う課題があった。
【０００５】
また、アームレストＡＲ１が縦向き(起立状態)と横向き(倒伏状態)とに回動変位するため、物品収納部２２内に収納した物品が、アームレストＡＲ１の姿勢変位に伴って物品収納部２２内でずれ動いてしまい、整頓状態を維持できない問題も内在していた。
【０００６】
従って本発明では、収納位置および使用位置の何れにある場合でも物品収納部に対する物品の出し入れを可能とすると共に、物品収納部内に収納した物品の整頓状態を維持できるようにしたアームレストを提供することを目的とする。
【課題を解決するための手段】
【０００７】
前記課題を解決し、所期の目的を達成するため、請求項１記載の発明は、
シートのシートバックに回動可能に枢設され、前記シートバックに収納させた収納位置および該シートバックから延出させた使用位置とに姿勢変位可能なアームレストにおいて、
前記シートバックに回動可能に枢支され、物品収納部が内部画成されると共に対向する第１開口部および第２開口部を開設した本体と、
前記本体に枢設されて前記第１開口部を開閉し、前記収納位置において前記シートバックのシート表面と面一となる第１蓋体と、
前記本体に枢設されて前記第２開口部を開閉し、前記使用位置において上方を指向して腕当部となる第２蓋体とを有し、
前記収納位置にある場合は、前記第１蓋体の開放により前記物品収納部に対する物品の出し入れを許容し、前記使用位置にある場合は、前記第２蓋体の開放により物品収納部に対する物品の出し入れを許容するよう構成したことを要旨とする。
【０００８】
従って、請求項１に係る発明によれば、アームレストが収納位置および使用位置の何れにある場合でも物品収納部に対する物品の出し入れが可能であるから、この物品収納部に対する物品の出し入れに際してアームレストを姿勢変位させるという面倒な操作を必要としない。
【０００９】
請求項２記載の発明は、
シートのシートバックに回動可能に枢設され、前記シートバックに収納させた収納位置および該シートバックから延出させた使用位置とに姿勢変位可能なアームレストにおいて、
前記シートバックに回動可能に枢支され、物品収納部が内部画成されると共に対向する第１開口部および第２開口部を開設した本体と、
前記物品収納部内において前記本体に対し回動可能に配設され、該本体の姿勢に関係なく常に水平状態に姿勢保持される物品収納体と、
前記本体に枢設されて前記第１開口部を開閉し、前記収納位置において前記シートバックのシート表面と面一となる第１蓋体と、
前記本体に枢設されて前記第２開口部を開閉し、前記使用位置において上方を指向して腕当部となる第２蓋体とを有し、
前記収納位置にある場合は、前記第１蓋体の開放により前記物品収納体に対する物品の出し入れを許容し、前記使用位置にある場合は、前記第２蓋体の開放により物品収納体に対する物品の出し入れを許容するよう構成したことを要旨とする。
【００１０】
従って、請求項２に係る発明によれば、アームレストが収納位置および使用位置の何れにある場合でも物品収納体に対する物品の出し入れが可能であるから、この物品収納体に対する物品の出し入れに際してアームレストを姿勢変位させるという面倒な操作を必要としない。しかも、物品収納体が常に水平状態に姿勢保持されるため、アームレストを収納位置と使用位置との間で姿勢変位させたとしても収納した物品がずれ動くことがなく、物品が物品収納部内で常に整頓状態に収納される。
【００１１】
請求項３記載の発明は、請求項２記載の発明において、
物品収納体は、前記物品収納部内に収容された収容位置および前記第１開口部から外方へ迫出した迫出位置の間でスライド移動が可能に配設されると共に、連繋機構により前記第１蓋体と連繋され、
前記第１蓋体を本体へ閉成した場合には前記物品収納体が前記収容位置に移動し、該第１蓋体を本体から開放した場合には該物品収納体が前記迫出位置へ移動することを要旨とする。
【００１２】
従って、請求項３に係る発明によれば、アームレストが収納位置にある場合において第１蓋体を開放した際には、連繋機構より各物品収納体が第１開口部へ迫出すようになるため、該物品収納体に対する物品の出し入れを行ない易くなる。
【００１３】
請求項４記載の発明は、請求項３記載の発明において、前記連繋機構は、歯車列およびカム機構を組み合わせて構成されることを要旨とする。従って、請求項４に係る発明によれば、第１蓋体の開閉動作に連動させて各物品収納体を確実にスライド移動させることができる。
【００１４】
請求項５記載の発明は、請求項３記載の発明において、前記連繋機構は、リンク機構およびカム機構を組み合わせて構成されることを要旨とする。従って、請求項５に係る発明によれば、第１蓋体の開閉動作に連動させて各物品収納体を確実にスライド移動させることができる。
【発明の効果】
【００１５】
本発明に係るアームレストによれば、収納位置および使用位置の何れにある場合でも物品収納部に対する物品の出し入れを可能とすると共に、物品収納部内に収納した物品の整頓状態を維持できる等の有益な効果を奏する。
【発明を実施するための最良の形態】
【００１６】
次に、本発明に係るアームレストにつき、好適な実施例を挙げ、添付図面を参照しながら、以下に説明する。なお、図１０および図１１に既出の部材・部位と同一の部材・部位に関しては、同一の符号を付して説明する。
【実施例】
【００１７】
図１は、図３のＩ−Ｉ線断面図であって、好適実施例に係るアームレストの内部構成を示している。図２は、図３のII−II線断面図であって、アームレストの連繋機構を示している。また図３は、アームレストの内部構成を示したシートの縦断背面図である。本実施例のアームレストＡＲが配設されるシートＳは、図１０および図１１に例示した従来のシートＳと基本的に同一であって、シートクッション１０およびシートバック１２から構成されるベンチタイプのものである。
【００１８】
シートバック１２の左右中央部分には、アームレストＡＲの収納を許容するサイズの収納凹部１４が陥設されている。この収納凹部１４は、シートバック１２の内部に埋設した合成樹脂製の保持部材１６により、形状保持が図られたもとで補強されている。そしてアームレストＡＲは、シートバック１２に設けた収納凹部１４に縦向きに収納されて該シートバック１２の一部分をなす収納位置と、シートバック１２から前方へ横向きに延出させてシートクッション１０の座面上方に到来した使用位置とに姿勢変位可能となっている。
【００１９】
本実施例のアームレストＡＲは、シートバック１２に回動可能に枢設された本体３０と、この本体３０の一方の片面に枢設された第１蓋体５０と、本体３０の他方片面に枢設された第２蓋体６０とを有しており、これらにより全体が形成されている。本体３０は、略矩形中空体状を呈して物品収納部３２が内部画成されると共に、対向する第１開口部３４および第２開口部３６が表側片面および裏側片面に開設されている。また、物品収納部３２の左右には、後述する連繋機構８０,８０が収容される機構収納空間３８,３８が画成されている。そして、左側外壁面４０および右側外壁面４２の夫々の後方側に、シートバック１２に内蔵した保持部材１６に穿設した支持孔１８,１８へ嵌合される支持軸４４,４４が突設されており、これら支持孔１８と支持軸４４とのヒンジ作用によりシートバック１２に対する本体３０の回動が許容される。
【００２０】
第１蓋体５０は、第１ヒンジ軸５２を介して本体３０の表側に枢設され、前述した第１開口部３４を開閉するようになっている。この第１蓋体５０は、図１および図２に例示するように、アームレストＡＲが収納位置に収納されている状態においてシートバック１２のシート表面と略面一となり、このシート表面の一部を構成するようになっている。このため第１蓋体５０の外側には、発泡ウレタン等を材質とする所要厚の弾性部材５４と、この弾性部材５４を被覆する表皮材等の加飾部材５６とが配設されており、シートバック１２と同等の弾力性および質感が付与されている。このような第１蓋体５０は、図４および図５に例示するように、アームレストＡＲが収納位置にある場合にシートクッション１０の上面側へ開放することが可能となっており、この第１蓋体５０の開放により、第１開口部３４を介して物品収納部３２に対する物品の出し入れを許容するようになっている。
【００２１】
第２蓋体６０は、第２ヒンジ軸６２を介して本体３０の裏側に枢設され、前述した第２開口部３６を開閉するようになっている。この第２蓋体６０は、図７に例示するように、アームレストＡＲが使用位置に延出されている状態において上方を指向し、乗員の腕を当て受ける腕当部として機能する。このため第２蓋体６０の外側には、発泡ウレタン等を材質とする所要厚の弾性部材６４と、この弾性部材６４を被覆する表皮材等の加飾部材６６とが配設されており、弾力性および質感が付与されている。なお加飾部材６６は、シートバック１２と同一材質の表皮材でもよいし、これ以外の材質の表皮材であってもよい。このような第２蓋体６０は、図６および図７に例示するように、アームレストＡＲが使用位置にある場合にシートバック１２の前側へ開放することが可能となっており、この第２蓋体６０の開放により、第２開口部３６を介して物品収納部３２に対する物品の出し入れを許容するようになっている。
【００２２】
そして本実施例のアームレストＡＲでは、バケット形状を呈して物品を収納保持可能な合計３個の物品収納体７０が、物品収納部３２内に並列状に配設されている。これら物品収納体７０は、その両側外面において偏心した位置に突設した支軸７２,７２を、本体３０の内壁面４６,４６に配設された軸支持部材７４,７４に挿通支持させることにより、本体３０の姿勢に関係なく常に開口部７６を上方へ指向させた水平状態に姿勢保持されるようになっている。すなわち、アームレストＡＲが収納位置にある場合(図１,図２)、使用位置にある場合(図６,図７)、これら収納位置と延出位置との途中ある場合の何れにおいても、各物品収納体７０は物品の有無に関係なく常に水平状態に姿勢保持される。従って、各物品収納体７０に収納された物品は、アームレストＡＲを収納位置と使用位置との間で姿勢変位させたとしても、該物品収納体７０から脱落することが殆どなく、物品収納部３２内でずれ動くことが防止される。
【００２３】
また、前述した各軸支持部材７４は、本体３０の両内壁面４６,４６に形成された長溝４８,４８にスライド移動可能に配設されている。これら長溝４８は、図２に例示するように、各内壁面４６の略中間部位から第１開口部３４の開口端近傍まで延在し、かつ通常使用角度に保持したシートバック１２にアームレストＡＲを収納保持した場合(図２)に、略水平に延在するように形成されている。従って、これら軸支持部材７４,７４に支持された物品収納体７０は、該軸支持部材７４,７４が長溝４８,４８に沿って移動することにより、物品収納部３２内に収容された収容位置(図１)および第１開口部３４から外方へ迫出した迫出位置(図５)の間でスライド移動が可能に配設されている。なお各軸支持部材７４は、長溝４８内に配設されたコイルスプリング７８により、常には第１開口部３４から離間する方向へ弾力付勢されており、物品収納体７０は収容位置の方向へ弾力的に保持される。
【００２４】
更に、夫々の物品収納体７０は、前述した機構収納空間３８,３８に配設した連繋機構８０,８０により第１蓋体５０と連繋され、この第１蓋体５０を本体３０へ閉成した場合には収容位置に移動して停止し、第１蓋体５０を本体３０から開放した場合には迫出位置へ移動して停止するようになっている。なお、夫々の連繋機構８０は同一構成なので、片方の連繋機構８０についてのみ説明し、他方は同一の符号で指示して説明は省略する。
【００２５】
本実施例の連繋機構８０は、歯車列８２およびカム機構８４を組み合わせて構成されている。すなわち歯車列８２は、第１蓋体５０の裏側に設けた第１ギア８６、この第１ギア８６に噛合する第２ギア８８、第２ギア８８に噛合する第３ギア９０、この第３ギア９０に噛合する第４ギア９２から構成されている。またカム機構８４は、従動節として機能する前述の軸支持部材７４と、回転支軸９６により本体３０の内壁面４６に回動自在に配設された原動節としてのカム板９４と、各カム板９４を連結する連結ロッド９８とから構成されている。そして、第４ギア９２の端部と連結ロッド９８の端部とが連結されており、これにより第１蓋体５０と各物品収納体７０が連繋されている。
【００２６】
従って、第１蓋体５０を本体３０へ閉成した場合には、図２において第１ギア８６が右方向へ移動することにより、第２ギア８８、第３ギア９０を介して第４ギア９２が下方へ移動し、これにより連結ロッド９８が下方へ移動することで、各カム板９４が右回転する。そして、カム板９４の短径部分に軸支持部材７４が当接するようになるため、該軸支持部材７４はコイルスプリング７８の弾力付勢により長溝４８の後端側へ移動し、これにより物品収納体７０が収容位置へ移動して停止保持される。
【００２７】
また、第１蓋体５０を本体３０から開放する場合には、図５に図示したように、第１ギア８６が左方向へ移動することにより、第２ギア８８、第３ギア９０を介して第４ギア９２が上方へ移動し、これにより連結ロッド９８が上方へ移動するので、各カム板９４が左回転するようになる。これにより、カム板９４の長径部分に軸支持部材７４が当接するようになるため、該軸支持部材７４はコイルスプリング７８の弾力付勢に抗して長溝４８の前端側へ押されて移動し、これにより物品収納体７０が迫出位置へ移動して停止保持される。従って、第１蓋体５０を開放した場合には、図４および図５に例示したように、上下方向に並んだ各物品収納体７０が第１開口部３４を介して外方へ迫出すため、物品収納体７０に対する物品の出し入れを行ない易くなる。
【００２８】
なお、連繋機構８０の構成に関しては、前述した歯車列８２およびカム機構８４を組み合わせて構成に限定されるものではない。例えば図９に例示するように、レバー１０２,１０４からなるリンク機構１００および前述のカム機構８４を組み合わせて構成されるものであっても、第１蓋体５０と各物品収納体７０とを連動させることが可能である。また図示しないが、ベルトやチェーン等から構成しても、第１蓋体５０と各物品収納体７０とを連繋することが可能である。
【００２９】
このように構成された本実施例のアームレストＡＲによれば、以下のような効果を得ることができる。先ず、アームレストＡＲが収納位置にある場合には、第１蓋体５０を開放することで物品収納部３２に配設した各物品収納体７０に対する物品の出し入れが可能であり、アームレストＡＲが使用位置にある場合には、第２蓋体６０を開放することで各物品収納体７０に対する物品の出し入れが可能である。すなわち、アームレストＡＲが収納位置および使用位置の何れにある場合でも物品収納体７０に対する物品の出し入れが可能であるから、物品の出し入れに際してアームレストＡＲを姿勢変位させる面倒な操作を必要としない。これは、物品収納部３２内に物品収納体７０を配設していないアームレストにあっても、同様の効果が得られる。
【００３０】
また、物品収納部３２内に常に水平状態に姿勢制御される物品収納体７０を配設してあるため、アームレストＡＲを収納位置と使用位置との間で姿勢変位させたとしても収納した物品がずれ動くことがなく、物品が物品収納部３２内で常に整頓状態に収納される。また、アームレストＡＲが収納位置にある場合において第１蓋体５０を開放した際には、連繋機構８０より各物品収納体７０が第１開口部３４へ迫出すようになっているため、該物品収納体７０に対する物品の出し入れを行ない易くなる。
【００３１】
なお連繋機構８０は、歯車列８２およびカム機構８４から構成されているため、第１蓋体５０の開閉動作に連動して各物品収納体７０を確実にスライド移動させることができる。また連繋機構８０は、リンク機構１００およびカム機構８４から構成されるものであっても、第１蓋体５０の開閉動作に連動して各物品収納体７０を確実にスライド移動させることができる。
【００３２】
前述した実施例では、物品収納部３２内に合計３個の物品収納体７０を並列的に配設した場合を例示したが、この物品収納体７０の配設個数はこれに限定されるものではない。
【００３３】
また連繋機構８０は、本体３０の両側に配設した場合を例示したが、第１蓋体５０に開閉に対して各物品収納体７０を確実に連動させ得れば、何れか一方に１組だけ配設するようにしてもよい。
【００３４】
また、アームレストＡＲが装着されるシートＳは、乗員室の後側に設置されるリアシートに限定されるものではなく、フロントシートやサードシート等、乗員室に設置される全てが対象とされる。
【００３５】
更に、前述した実施例では、シートＳのシートバック１２は、横長に形成した一体ものとして例示したが、このシートバック１２は左右に分割されると共に両者の間に空間が画成されたもので、この空間部分にアームレストＡＲを収納するようにしたタイプのものであってもよい。
【産業上の利用可能性】
【００３６】
本発明に係るアームレストは、種々自動車の乗員室内に設置されるシートに配設されるアームレストに好適に実施可能である。
【図面の簡単な説明】
【００３７】
【図１】図３のＩ−Ｉ線断面図。
【図２】図３のII−II線断面図。
【図３】アームレストの内部構成を示したシートの縦断背面図。
【図４】アームレストが収納位置にある場合において、第１蓋体を開放させた状態を示したシートの斜視図。
【図５】図４のＶ−Ｖ線断面図。
【図６】アームレストが使用位置にある場合において、第２蓋体を開放させた状態を示したシートの斜視図。
【図７】アームレストを収納位置から使用位置へ姿勢変位させた状態を示した縦断側面図。
【図８】図６のVII−VII線断面図。
【図９】別形態の連繋機構を示したシートの縦断側面図。
【図１０】従来のアームレストを収納位置と使用位置とに姿勢変位した状態で示したシートの斜視図。
【図１１】アームレストが使用位置にある場合にだけ、物品収納部に対する物品の出し入れが可能であることを示した説明斜視図。
【符号の説明】
【００３８】
１２ シートバック，３０ 本体，３２ 物品収納部，３４ 第１開口部，
３６ 第２開口部，５０ 第１蓋体，６０ 第２蓋体，７０ 物品収納体，８０ 連繋機構，
８２ 歯車列，８４ カム機構，１００ リンク機構
【図１】
2006280747.tif 000003
【図２】
2006280747.tif 000004
【図３】
2006280747.tif 000005
【図４】
2006280747.tif 000006
【図５】
2006280747.tif 000007
【図６】
2006280747.tif 000008
【図７】
2006280747.tif 000009
【図８】
2006280747.tif 000010
【図９】
2006280747.tif 000011
【図１０】
2006280747.tif 000012
【図１１】
2006280747.tif 000013